(57)【要約】【課題】ファンユニットのメンテナンス作業や交換作業に際して、作業者の手等により発生した静電気が基板上の電気機器に影響を及ぼさないように工夫した。【解決手段】電気機器の筐体１に取付けられて筐体１内の空気調和機能を司るファンユニット９を筐体１内に収容設置された基板２に電気的に接続するよう構成する場合、基板２側に取付けられた基板側コネクタ１３とファンユニット９側に接続するファンユニット側コネクタ１２とを、中継ケーブル１４を介してコネクタ接続した。【選択図】　図３
2004103874.tif 000002
【特許請求の範囲】
【請求項１】
電気機器の筐体に取付けられて筐体内の空気調和機能を司るファンユニットを前記筐体内に収容設置された基板に電気的に接続するよう構成された電気機器の筐体におけるファンユニットであって、前記基板側に取付けられた基板側コネクタと前記ファンユニット側に接続するファンユニット側コネクタとを、中継ケーブルを介して互いにコネクタ接続したことを特徴とする電気機器の筐体におけるファンユニット。
【請求項２】
電気機器の筐体に取付けられて筐体内の空気調和機能を司るファンユニットを前記筐体内に収容設置された基板に電気的に接続するよう構成された電気機器の筐体におけるファンユニットであって、前記基板側に取付けられた基板側コネクタと前記ファンユニット側に接続するファンユニット側コネクタとを、中継ケーブルを介して互いにコネクタ接続したファンユニットを備えたことを特徴とする電気機器。
【発明の詳細な説明】
【０００１】
【発明の属する技術分野】
本発明は、主として電話システムを構築する電気機器の筐体におけるファンユニットとそのファンユニットを備えた電気機器に関する。
【０００２】
【従来の技術】
ＬＡＮを使用して電話をかける、或いはＩＰパケットに音声データを重畳して通信を行う等の電気機器は、たとえば箱型の筐体内に収容されて構成している。筐体は、電気機器によって発生する熱を外部に排出するとともに外部より冷気を導入して内部の空気調和を行うためにファンユニットを備えており、ファンユニットは、筐体内において電気機器と電気的に接続することによって作動するようになっている。
【０００３】
そこで、従来の電気機器の筐体におけるファンユニットとして、図５に示すものが知られている。
【０００４】
図５によれば、箱型の筐体３１内には、基板３２が収容設置されており、筐体３１の一面例えば背面部３３に、ファン取付け凹部３４を形成しておき、ファンユニット３５が収容装着されている。
【０００５】
すなわち、ファンユニット３５は、ファン取付け凹部３４の開口部を閉塞美装するファンカバー３６をボルト３７およびナット３８等を用いて取付けた状態で、ファン取付け凹部３４に収容され、ファンカバー３６をビス３９を用いて筐体３１の裏面部３３に取着することにより筐体３１に装着されている。
【０００６】
そして、ファンユニット３５は、一端が不図示のファンモータ４０に接続するファンケーブル４３の他端にファンユニット側コネクタ４１を接続して構成しており、ファンユニット側コネクタ４１を基板３２に装着された基板側コネクタ４２に直接挿着することによって、筐体３１内に基板３２に実装された電気機器によって発生する熱を外部に排出するとともに外部より冷気を導入して、筐体３１内の空気調和を行っている。
【０００７】
【発明が解決しようとする課題】
しかしながら、従来のファンユニットでは、ファンケーブル４３に接続されたファンユニット側コネクタ４１を基板３２に装着された基板側コネクタ４２に直接挿着して、ファンユニット３５を電気的に接続しているために、ファンユニット３５のメンテナンス作業或いは交換作業（通常交換期間３年位）時に、ファンユニット３５を筐体３１から取り外す必要があり、このため、ファンユニット側コネクタ４１を基板側コネクタ４２より切り離す必要がある。
【０００８】
そして、このようなファンユニット３５のメンテナンス作業や交換作業は、通信分野においては、基板３２に実装された電気機器を通電状態にしたままで行うのが通常である。
【０００９】
このために、ファンユニット３５を筐体３１より取り外すべく、ファンユニット側コネクタ４１を基板側コネクタ４２から切り離す際に、作業者の手等が基板３２上に近接したり接触したりしてしまい、結果として静電気が発生して基板３２に実装された電気機器の機能や性能に悪影響を及ぼす。
【００１０】
そこで、本発明は、かかる点に鑑み、ファンユニットのメンテナンス作業や交換作業に際して、作業者の手等により発生した静電気が基板上の電気機器に影響を及ぼさないようにした電気機器の筐体におけるファンユニット接続装置を提供することを目的としている。
【００１１】
【課題を解決するための手段】
上記目的を達成するために、本発明は、電気機器の筐体に取付けられて筐体内の空気調和機能を司るファンユニットを筐体内に収容設置された基板に電気的に接続するよう構成された電気機器の筐体におけるファンユニットであって、電気機器の筐体に取付けられて筐体内の空気調和機能を司るファンユニットを筐体内に収容設置された基板に電気的に接続するよう構成する場合、基板側に取付けられた基板側コネクタとファンユニット側に接続するファンユニット側コネクタとを、中継ケーブルを介して互いにコネクタ接続したことを特徴とする。
【００１２】
かかる構成により、基板側コネクタは基板に装着されていても、ファンユニット側コネクタは、中継ケーブルが介在して基板側コネクタに接続されていることになって、基板側コネクタに対して遊動可能となっている。
【００１３】
この結果、ファンユニットをメンテナンス作業や交換作業の際には、中継ケーブルをある程度筐体外に引き伸ばす等して、中継ケーブル側コネクタからファンユニット側コネクタを切離することによって、ファンユニットは筐体から取り外すことができ、作業者の手等が基板側コネクタに触れる或いは近接することがなくなるために、基板上に実装された電気機器を静電気から保護することができる。
【００１４】
【発明の実施の形態】
以下、本発明における実施の形態について、図を用いて説明する。
【００１５】
先ず、図１乃至図３を用いて、本発明における第１の実施の形態について説明する。
【００１６】
図１は第１の実施の形態を採用した電子機器の筐体を正面側から描画した斜視図、図２は同じく背面側から描画した斜視図、図３は同じく要部の分解斜視図である。
【００１７】
図１乃至図３において、図示しないラックに実装自在な筐体１は、正面が開口した扁平な箱形に形成されていて、筐体１内には基板２等の主装置としての電気機器が収容設置されており、正面開口部は、全体が弾性を有するＡＢＳやＰＳ樹脂により一体成形された正面パネル３により覆われている。
【００１８】
正面パネル３は、筐体１内に収容された主装置の一部が露出する窓孔３ａや取付け孔３ｂが開口され、窓孔３ａと取付け孔３ｂの間には、ロータリスイッチやディップスイッチ等のスイッチ類を収容する凹入部を閉塞すべく蓋体３ｃが開閉動可能に取付けられている。また、筐体１の背面部４には、電源スイッチ５やファンカバー６が装着されている。
【００１９】
ファンカバー６は、例えば外気導入孔６ａが多数穿設されて構成しており、その内面側には、ボルト７およびナット８等を用いて、ファンユニット９が装着されて、ファンユニット９を筐体１の背面部４側に凹設したファン取付け凹部１０を収容した状態で、ビス２０を用いて筐体１の背面部４に取着されて、ファン取付け凹部１０の開口部を美装閉塞している。
【００２０】
ファンユニット９は、ファンモータ１０ａやファン１０ｂをファン枠体１０ｃに組み込んで構成しており、ファンモータ１ａよりファンケーブル１１が導出している。
【００２１】
ファンケーブル１１の先端には、ファンユニット側コネクタ１２が接続している。また、基板２側には、基板側コネクタ１３が装着固定されている。
【００２２】
そして、ファンユニット側コネクタ１２と基板側コネクタ１３とは、中継ケーブル１４の両端にそれぞれ装着した中継ケーブル側コネクタ１５，１６を挿着することにより、電気的に接続されている。
【００２３】
また、中継ケーブル１４は、その中間部において、二つ折れ状のクリップ体１７により、筐体１或いは基板２に取着されている。
【００２４】
かかる構成により、基板側コネクタ１３は基板２に装着されていても、ファンユニット側コネクタ１２は、中継ケーブル１４が介在して基板側コネクタ１３に接続されていることになって、基板側コネクタ１３に対して遊動可能となっている。
【００２５】
この結果、ファンユニット９をメンテナンス作業や交換作業の際には、中継ケーブル１４をある程度筐体１外に引き伸ばす等して、中継ケーブル側コネクタ１６からファンユニット側コネクタ１２を切離することによって、ファンユニット９は筐体１から取り外すことができ、この場合、作業者の手等が基板側コネクタ１３に触れる或いは近接することがなくなるために、基板１上に実装された電気機器を静電気から保護することができる。
【００２６】
また、中継ケーブル１４の中間部を基板２（または筐体）にクリップ体１７を介して取付けていることから、中継ケーブル１４が基板２（または筐体１）に取付けられた状態で、ファンユニット側コネクタ１２を中継ケーブル１４から切り離すことによってファンユニット９を取り外すことができ、作業者の手等が基板より確実に遠ざけることになって、この場合、作業者の手等が基板側コネクタ１３に触れる或いは近接することが益々なくなるために、基板２上に実装された電気機器を静電気から確実に保護することができる。
【００２７】
図４は本発明の第２の実施の形態の主要部を描画した分解斜視図である。
【００２８】
図４によれば、第１の実施の形態に対して、ファンユニット側コネクタ１２をファン枠体１０ｃに取着した点が異なるのみで、その他の構成を同じくしているため、同一符号を付すことによって詳細説明を割愛する。
【００２９】
第２の実施の形態において、ファンユニット側コネクタ１２は、ファン枠体１０ｃに取着されているとしても、結局中継ケーブル１４が介在して基板側コネクタ１３に接続されていることになって、基板側コネクタ１３に対して遊動可能となっていることから、ファンユニット９をメンテナンス作業や交換作業の際には、中継ケーブル１４をある程度筐体１外に引き伸ばす等して、中継ケーブル側コネクタ１６からファンユニット側コネクタ１２を切離することによって、ファンユニット９は筐体１から取り外すことができ、この場合、作業者の手等が基板側コネクタ１３に触れる或いは近接することがなくなるために、基板１上に実装された電気機器を静電気から保護することができる。
【００３０】
【発明の効果】
以上説明したように、本発明は、基板側コネクタは基板に装着されていても、ファンユニット側コネクタは、中継ケーブルが介在して基板側コネクタに接続されていることになって、基板側コネクタに対して遊動可能となっている。
【００３１】
この結果、ファンユニットをメンテナンス作業や交換作業の際には、中継ケーブルをある程度筐体外に引き伸ばす等して、中継ケーブル側コネクタからファンユニット側コネクタを切離することによって、ファンユニットは筐体から取り外すことができ、この場合、作業者の手等が基板側コネクタに触れる或いは近接することがなくなるために、基板上に実装された電気機器を静電気から保護することができる。
【図面の簡単な説明】
【図１】本発明における第１の実施の形態を採用した電子機器の筐体を正面側から描画した斜視図である。
【図２】同じく背面側から描画した斜視図である。
【図３】同じく要部の分解斜視図である。
【図４】本発明における第２の実施の形態の要部を分解して描画した斜視図である。
【図５】従来におけるファンユニット接続装置を採用した電気機器の筐体の要部を分解して描画した斜視図である。
【符号の説明】
１　筐体
２　基板
４　背面部
９　ファンユニット
１２　ファンユニット側コネクタ
１３　基板側コネクタ
１４　中継ケーブル
１５，１６　中継ケーブル側コネクタ
１７　クリップ体
【図１】
2004103874.tif 000003
【図２】
2004103874.tif 000004
【図３】
2004103874.tif 000005
【図４】
2004103874.tif 000006
【図５】
2004103874.tif 000007